(57)【要約】【課題】構造が簡単で取り出しや持ち運びが容易なファイルを提供することを課題とする。【解決手段】表紙１１及び裏表紙１３が背表紙１２を介して一体であるファイル１０Ａにおいて、背表紙１２の長手中央部から表紙１１に亘って、表紙１１及び背表紙１２の一部を構成する弾性部材が設けられている。【選択図】図１
2007307800.tif 000002
【特許請求の範囲】
【請求項１】
一対の表紙が背表紙を介して一体であるファイルにおいて、前記表紙から前記背表紙に亘って、前記表紙及び前記背表紙の一部を構成する弾性部材が設けられていることを特徴とするファイル。
【請求項２】
請求項１に記載のファイルにおいて、前記背表紙が矩形であり、且つ長手部位が前記表紙と連続し、前記弾性部材が前記背表紙の長手中央部から前記表紙に亘って設けられていることを特徴とするファイル。
【請求項３】
請求項１又は２に記載のファイルにおいて、前記一方の表紙の内側に綴じ具を有し、前記他方の表紙から前記背表紙に亘って前記弾性部材が設けられていることを特徴とするファイル。
【請求項４】
請求項３に記載のファイルにおいて、前記一方の表紙の前記綴じ具を避けた部分にさらに補助弾性部材が設けられていることを特徴とするファイル。
【請求項５】
請求項１又は２に記載のファイルにおいて、前記背表紙の内側に綴じ具を有し、前記背表紙から前記一対の表紙に亘ってそれぞれ前記弾性部材が設けられていることを特徴とするファイル。
【請求項６】
請求項１〜５の何れかに記載のファイルにおいて、前記弾性部材が軟質ウレタンフォームであることを特徴とするファイル。
【請求項７】
請求項６に記載のファイルにおいて、前記軟質ウレタンフォームが低反発弾性ウレタンフォームであることを特徴とするファイル。
【発明の詳細な説明】
【技術分野】
【０００１】
本発明は、名刺、写真、書類等を収納するファイルに関する。
【背景技術】
【０００２】
名刺、写真、書類等を収納するファイルは、オフィス等においては書棚などに多数並べて管理されていることが多い。隣接するファイルと密着した状態で多数のファイルが並べられている場合には、多数のファイルの背表紙が面一状態となり、ファイルとファイルの間に手を挟み込みにくいためファイルを取り出すのが困難である。
【０００３】
そこで、背見出しの下部に抜き差し穴を設けたファイルが提案されている。しかしながらこのファイルは、ファイルを書棚から取り出す度に指が書類等に直接触れてしまうために、書類等の抜き差し穴付近に位置する部分が汚れたり、擦り減ってしまったりする虞があった。また、外観に優れたものではなかった。
【０００４】
また、ファイルに書類等が多く綴じられている場合には、持ち運ぶ際に、綴じ具に固定されている書類が重みによって脱落しやすいという問題や、つかみにくいために持ち運びにくいという問題がある。また、逆に、ファイルの背表紙の幅に対して、綴じられている書類等の幅が小さい場合も、つかみにくいために持ち運びにくいという問題がある。
【０００５】
そこで、背表紙部に取手を備えて持ち運びしやすくしたファイルも提案されている（例えば特許文献１参照）。しかしながら、取手等の部材を設ける必要があり、ファイルの構成が複雑で製造し難いという問題があった。
【０００６】
【特許文献１】特開２００３−３２６８８３号公報
【発明の開示】
【発明が解決しようとする課題】
【０００７】
本発明はこのような事情に鑑み、構造が簡単で取り出しや持ち運びが容易なファイルを提供することを課題とする。
【課題を解決するための手段】
【０００８】
上記課題を解決する本発明の第１の態様は、一対の表紙が背表紙を介して一体であるファイルにおいて、前記表紙から前記背表紙に亘って、前記表紙及び前記背表紙の一部を構成する弾性部材が設けられていることを特徴とするファイルにある。
【０００９】
かかる第１の態様では、表紙及び背表紙の一部を構成する弾性部材が設けられていることで、書棚等から取り出す際に隣接するファイルとの間に手を挿入しやすく、取り出しやすくなる。持ち運ぶ際には、弾性部材をつかむことでファイルの内側に綴じられた書類等を一緒につかむことができるために持ち運びやすく、書類等が脱落するという虞もない。また、書類等に直接指が触れるわけではないので書類等を傷つける虞もない。
【００１０】
本発明の第２の態様は、前記背表紙が矩形であり、且つ長手部位が前記表紙と連続し、前記弾性部材が前記背表紙の長手中央部から前記表紙に亘って設けられていることを特徴とするファイルにある。
【００１１】
かかる第２の態様では、弾性部材が背表紙の長手中央部から表紙に亘って設けられていることで、弾性部材をつかむと書類等の端部中心をつかむことができるため、書棚等から取り出しやすく、持ち運びもしやすくなる。
【００１２】
本発明の第３の態様は、第１又は２の態様に記載のファイルにおいて、前記一方の表紙の内側に綴じ具を有し、前記他方の表紙から前記背表紙に亘って前記弾性部材が設けられていることを特徴とするファイルにある。
【００１３】
かかる第３の態様では、一方の表紙に綴じ具があるファイルにおいて綴じ具のない面に弾性部材が設けられていることで、綴じ具の取り付け状態に影響を及ぼすことがない。
【００１４】
本発明の第４の態様は、第３の態様に記載のファイルにおいて、前記一方の表紙の前記綴じ具を避けた部分にさらに補助弾性部材が設けられていることを特徴とするファイルにある。
【００１５】
かかる第４の態様では、一方の表紙に綴じ具があるファイルにおいて綴じ具のある表面にも補助弾性部材が設けられていることで、書類等を両面から挟み込むことができ、より取り出しや持ち運びが容易なファイルとなる。
【００１６】
本発明の第５の態様は、第１又は２の態様に記載のファイルにおいて、前記背表紙の内側に綴じ具を有し、前記背表紙から前記一対の表紙に亘ってそれぞれ前記弾性部材が設けられていることを特徴とするファイルにある。
【００１７】
かかる第５の態様では、背表紙に綴じ具があるファイルにおいて取り出しや持ち運びが容易なファイルとなる。
【００１８】
本発明の第６の態様は、第１〜５の何れかの態様に記載のファイルにおいて、前記弾性部材が軟質ウレタンフォームであることを特徴とするファイルにある。
【００１９】
かかる第６の態様では、より取り出しや持ち運びが容易なファイルとなる。
【００２０】
本発明の第７の態様は、第６の態様に記載のファイルにおいて、前記軟質ウレタンフォームが低反発弾性ウレタンフォームであることを特徴とするファイルにある。
【００２１】
かかる第７の態様では、より取り出しや持ち運びが容易なファイルとなる。
【発明の効果】
【００２２】
本発明によれば、構造が簡単で取り出しや持ち運びが容易なファイルとなる。また、書類等が脱落する虞がなく、書類等を傷つけたりする虞もないファイルとなる。
【発明を実施するための最良の形態】
【００２３】
以下、図面を用いて本発明を実施するための最良の形態について説明する。なお、以下に示す実施形態の説明は例示であり、本発明の構成はこれに限定されるものではない。
【００２４】
（実施形態１）
図１には実施形態１のファイルを示す。図１（ａ）にはファイル内面の斜視図、図１（ｂ）にはファイル外面の斜視図を示す。
【００２５】
図１（ａ）に示すように、実施形態１のファイル１０Ａは、背表紙１２の長手部位がそれぞれ表紙１１及び裏表紙１３と連続している、すなわち、表紙１１と裏表紙１３とが背表紙１２を介して一体となっている。
【００２６】
この裏表紙１３の内面には綴じ具１７が取り付けられている。この綴じ具１７は、２穴を開けた書類に対応するように２つのアーチを具備し、２穴を開けた書類２０が綴じられている。
【００２７】
また、背表紙１２の長手中央部から表紙１１にかけて一帯に、弾性部材からなる把持部１４が設けられている。ここで、把持部１４は、ファイル１０Ａの外面に貼り付けられたものではなく、内面まで貫通して一体とされたものである。すなわち、把持部１４は表紙１１及び背表紙１２の一部を構成している。
【００２８】
把持部１４の材質は、弾性部材であれば特に限定されないが、軟質ウレタンフォームが好ましく、特に低反発弾性ウレタンフォームが好ましい。ファイル１０Ａに弾性部材からなる把持部１４を設けることで、例えば書棚等においてファイルが多数並べてあり隣接するファイルとの間に隙間がなくとも、把持部１４（弾性部材）を変形させてファイル１０Ａと他のファイルとの間に手を挿入することができるため、ファイル１０Ａと他のファイルを容易に取り出すことができる。
【００２９】
また、把持部１４をつかんだ際には、綴じ具１７に綴じられた書類２０の表面まで把持部１４が弾性変形して到達する。すなわち、把持部１４と裏表紙１３とをつかむと、裏表紙１３、書類２０及び把持部１４の間には隙間がない状態となり、完全に書類をつかむことができる。このためファイル１０Ａは、書類２０の量が多い場合でも取り出しや持ち運びが容易になり、さらに書類２０が脱落するという虞もない。
【００３０】
上述した構成からなるファイル１０Ａは、表紙及び背表紙の一部を構成する把持部１４が設けられているので、書棚等から取り出す際に隣接するファイルとの間に手を挿入しやすく、取り出しやすい。持ち運ぶ際にはファイル１０Ａの内側に綴じられた書類２０をつかんで運ぶことができるために持ち運びやすく、書類２０が脱落するという虞もない。また、書類２０に直接指が触れるわけではないので書類２０を汚したり、擦り減ったりする虞もない。
【００３１】
ここで、把持部１４の位置は、上述したように背表紙１２の長手中央部から表紙１１の長手中央部である。把持部１４の位置を長手中央部とすることで、把持部１４をつかむと書類の端部中心をつかむことになり、書棚等から取り出しやすく、持ち運びもしやすい。また、書類が脱落し難い。
【００３２】
なお、把持部１４の形状及び大きさは特に限定されず、つかみ易い形状又は大きさであればよい。図１（ａ）及び（ｂ）に示すように実施形態１の把持部１４は、表紙１１の縦幅Ａで横幅Ｂの半楕円状と、背表紙１２の縦幅Ａ×横幅Ｃの長方形とが一体となるように設けた。なお、縦幅Ａ及び横幅Ｂは、それぞれ表紙１１の縦幅及び横幅の３分の１の長さに、横幅Ｃは背表紙１２の３分の１の長さとなるようにした。
【００３３】
表紙１１、背表紙１２、裏表紙１３の材質は特に限定されず、例えば、ビニール、プラスチック、紙、布等が挙げられる。
【００３４】
実施形態１では、綴じ具１７は２つのアーチを具備するものとし、裏表紙１３の内面の背表紙１２側の長手中央部に配置したが、綴じ具１７は書類２０を綴じることができる形状であれば特に限定されず、また位置も特に限定されない。
【００３５】
実施形態１ではファイル１０Ａに書類２０を綴じた例を挙げて説明したが、ファイル１０Ａに綴じるものは、書類に限定されず、例えば名刺、写真、ＣＤ等、ファイル１０Ａに綴じられるものであればよい。
【００３６】
上述した構成からわかるように、実施形態１のファイル１０Ａは、構造が簡単である。また、この構成により取り出しや持ち運びが容易なファイルとなる。
【００３７】
（実施形態２）
図２には実施形態２のファイルを示す。図２（ａ）にはファイル内面の斜視図、図２（ｂ）にはファイル外面の斜視図を示す。なお、実施形態１と同一部分には同一番号を付し、重複する説明は省略する。
【００３８】
図２（ａ）に示すように、実施形態２のファイル１０Ｂは、背表紙１２の長手部位がそれぞれ表紙１１及び裏表紙１３と連続している、すなわち、表紙１１と裏表紙１３とが背表紙１２を介して一体となっている。
【００３９】
この裏表紙１３の内面には綴じ具１７が取り付けられている。図示しないが、書類はこの綴じ具１７により綴じられる。
【００４０】
そして、背表紙１２の長手中央部から表紙１１にかけて一帯に、弾性部材からなる把持部１４が設けられている。
【００４１】
また、裏表紙１３には綴じ具１７を避けた部分に把持部１４と同材質の弾性部材からなる補助把持部１４Ａが設けられている。ここで、補助把持部１４Ａは、ファイル１０Ａの外面に貼り付けられたものではなく、内面まで貫通して一体とされたものである。すなわち、補助把持部１４Ａは裏表紙１３の一部を構成している。
【００４２】
なお、補助把持部１４Ａの材質は、把持部１４と同様のものである。ファイル１０Ｂに弾性部材からなる把持部１４及び補助把持部１４Ａを設けることで、例えば書棚等においてファイルが多数並べてあり隣接するファイルとの間に隙間がなくとも、把持部１４及び補助把持部１４Ａ（弾性部材）を変形させて、ファイル１０Ｂの両側から他のファイルとの間に手を挿入することができるため、ファイル１０Ｂと他のファイルをより容易に取り出すことができる。
【００４３】
裏面に補助把持部１４Ａを設けることで、ファイル１０Ｂをつかんだ際に、書類は把持部１４と補助把持部１４Ａにより両面から挟み込まれることになり、表紙１１と書類、書類と裏表紙１３との間は完全に隙間のない状態となる。このためファイル１０Ｂは、より取り出しや持ち運びが容易になり、さらに書類が脱落するという虞もない。
【００４４】
補助把持部１４Ａの位置は、上述したように裏表紙１３の綴じ具１７を避けた部分であり、長手中央部である。補助把持部１４Ａの位置を長手中央部とすることで、把持部１４をつかんだ際に、補助把持部１４Ａも自然とつかむことになり、書類の端部中心付近を両側からつかむことができる。このため、取り出しや、持ち運びがさらに容易なファイルとなる。また、書類が脱落し難いファイルとなる。
【００４５】
なお、補助把持部１４Ａの形状及び大きさは特に限定されず、つかみ易い形状又は大きさであればよい。図２（ａ）に示すように実施形態２の把持部１４Ａは、縦幅Ｄで横幅Ｅの半楕円状とした。なお、縦幅Ｄは裏表紙１３の縦幅の３分の１の長さに、横幅Ｅは裏表紙１３の４分の１の長さとなるようにした。
【００４６】
上述した構成からわかるように、実施形態２のファイル１０Ｂは、構造が簡単である。また、この構成により取り出しや持ち運びが容易なファイルとなる。
【００４７】
（実施形態３）
図３には実施形態３のファイルを示す。図３（ａ）にはファイル内面の斜視図、図３（ｂ）にはファイル外面の斜視図を示す。なお、実施形態１と同一部分には同一番号を付し、重複する説明は省略する。
【００４８】
図３（ａ）に示すように、本実施形態のファイル１０Ｃは、背表紙１２の長手部位がそれぞれ表紙１１及び裏表紙１３と連続している、すなわち、表紙１１と裏表紙１３とが背表紙１２を介して一体となっている。
【００４９】
背表紙１２の内面には綴じ具１８が取り付けられている。この綴じ具１８は複数個のリングを具備し、複数の穴を開けた書類が綴じられるようになっている。
【００５０】
そして、背表紙１２の長手中央部から表紙１１にかけて一帯に、弾性部材からなる把持部１４が設けられている。また、背表紙１２の長手中央部から裏表紙１３にかけて一帯に、弾性部材からなる把持部１５が設けられている。ここで、把持部１４及び１５は、ファイル１０Ｃの外面に貼り付けられたものではなく、内面まで貫通して一体とされたものである。すなわち、把持部１４及び１５はそれぞれ、表紙１１及び背表紙１２、裏表紙１３及び背表紙１２の一部を構成している。
【００５１】
把持部１５の位置は、上述したように背表紙１２の長手中央部から裏表紙１３の長手中央部である。把持部１５の位置を長手中央部とすることで、把持部１４をつかむと書類の端部中心をつかむことになり、書棚等から取り出しやすく、持ち運びもしやすい。また、書類が脱落し難い。
【００５２】
なお、把持部１５の材質は、把持部１４と同様のものである。ファイル１０Ｃに弾性部材からなる把持部１４及び把持部１５を設けることで、例えば書棚等においてファイルが多数並べてあり隣接するファイルとの間に隙間がなくとも、把持部１４及び把持部１５（弾性部材）を変形させて、ファイル１０Ｃの両側から他のファイルとの間に手を挿入することができるため、ファイル１０Ｃと他のファイルをより容易に取り出すことができる。
【００５３】
また、把持部１５の形状及び大きさは特に限定されず、つかみ易い形状又は大きさであればよい。図３（ａ）及び（ｂ）に示すように実施形態３の把持部１５は、把持部１４と同様の大きさとした。
【００５４】
実施形態３では、綴じ具１８は、複数個のリングを具備するものとしたが、綴じ具１８は書類等を綴じることができる形状であれば特に限定されない。
【００５５】
実施形態３のように、綴じ具１８が背表紙１２の内面に取り付けられている場合は、表紙１１及び裏表紙１３の両方に把持部（図３の把持部１４及び把持部１５）を設けることが可能である。両方に把持部を設けることで、ファイル１０Ｃをつかんだ際に、書類の端部中心付近を両側からつかむことができるため、表紙１１と書類、書類と裏表紙１３との間は完全に隙間のない状態となる。このため、綴じ具１８が背表紙１２に設けられたファイル１０Ｃの取り出しや持ち運びが容易となる。また、書類が脱落するという虞もない。
【００５６】
上述した構成からわかるように、実施形態３のファイル１０Ｃは、構造が簡単である。また、この構成により取り出しや持ち運びが容易なファイルとなる。
【００５７】
なお、実施形態３では、表紙１１及び裏表紙１３にそれぞれ、把持部１４及び把持部１５を設けたが、勿論、いずれか一方に設けてもよい。
【００５８】
実施形態１〜３では、綴じ具のあるファイルについて説明したが、勿論、ファイルは綴じ具が付いている必要はなく、例えば、背表紙に複数の収納袋の一端が取り付けられたファイル等でもよい。また、ファイル形状のものであれば、例えば、ＣＤフォルダ、写真のアルバム等にも適用することができるものである。
【００５９】
本発明にかかる把持部は、背表紙に厚みのあるファイル、綴じ具のアーチまたはリングの数が少ないファイルに設けると特に効果的である。従来のファイルは、書類等をつかむことができるものではなかったため、特に、背表紙に厚みのあるファイル、綴じ具のアーチまたはリングの数が少ないファイルは書類が脱落しやすいという問題があったが、本発明のように弾性部材からなる把持部を設けられたファイルは、書類等をつかむことができる構造であるため、取り出しや持ち運びの際に書類が脱落しなくなる。
【図面の簡単な説明】
【００６０】
【図１】実施形態１のファイルを示す図である。
【図２】実施形態２のファイルを示す図である。
【図３】実施形態３のファイルを示す図である。
【符号の説明】
【００６１】
１０Ａ、１０Ｂ、１０Ｃ  ファイル
１１  表紙
１２  背表紙
１３  裏表紙
１４、１５  把持部
１４Ａ  補助把持部
１７、１８  綴じ具
【図１】
2007307800.tif 000003
【図２】
2007307800.tif 000004
【図３】
2007307800.tif 000005